(57)【要約】【課題】記録した画像データの検索の容易化を図ることができる情報処理装置を提供する。【解決手段】画像入力装置Ｂから送信された画像データに対し、当該画像データを特定する特定情報（撮影日時、撮影場所、撮影対象（人物名、物等）等の撮影に関する撮影情報）及び当該画像データが書き込まれる記憶媒体Ｍを識別する識別情報（ディスク名称）を付加するとともに、特定情報及び識別情報を記憶部４、５に記憶する。また、入力されたキーワードに適合する記憶部４、５に記憶された特定情報を検索し、検索された特定情報とともに当該特定情報に対応している識別情報を報知（ディスプレイ９に一覧表示）する。これにより、所望の画像データが書き込まれている記憶媒体Ｍを容易に特定することができるので、記録した画像データの検索の容易化を図ることができる。【選択図】        図２
2005045421.tif 000002
【特許請求の範囲】
【請求項１】
画像データを生成する画像入力装置と、記憶媒体に各種データを記録する情報記録装置とに対してデータ接続可能な情報処理装置において、
前記画像入力装置から送信された画像データを受信する画像データ受信手段と、
この画像データ受信手段により受信した前記画像データを特定する特定情報及び前記記憶媒体を識別する識別情報の入力を受け付ける情報受け付け手段と、
この情報受け付け手段により受け付けた特定情報及び識別情報を、前記画像データ受信手段により受信した前記画像データに付加する情報付加手段と、
この情報付加手段により特定情報及び識別情報が付加された前記画像データを、前記情報記録装置を介して前記記憶媒体に書き込む画像データ書込手段と、
前記情報受け付け手段により受け付けた前記画像データを特定する特定情報及び当該画像データが書き込まれた前記記憶媒体を識別する識別情報を記憶部に記憶する情報管理手段と、
を備えることを特徴とする情報処理装置。
【請求項２】
前記画像データを特定する特定情報は、当該画像データの撮影に関する撮影情報である、
ことを特徴とする請求項１記載の情報処理装置。
【請求項３】
前記画像データを特定する特定情報には、前記画像データの縮小画像を含む、
ことを特徴とする請求項１または２記載の情報処理装置。
【請求項４】
前記記憶媒体を識別する識別情報は、当該記憶媒体に付される名称である、
ことを特徴とする請求項１記載の情報処理装置。
【請求項５】
前記画像データ書込手段は、受信した前記画像データが前記記憶媒体の記憶可能容量に達した時点で、前記画像データの書込みを開始する、ことを特徴とする請求項１ないし４のいずれか一記載の情報処理装置。
【請求項６】
キーワードの入力を受け付けるキーワード受け付け手段と、
前記情報管理手段により前記記憶部に記憶した前記画像データを特定する特定情報から、前記キーワード受け付け手段により受け付けたキーワードに適合する特定情報を検索する情報検索手段と、
この情報検索手段による検索結果を、前記記憶媒体を識別する識別情報とともに報知する検索結果報知手段と、
を備えることを特徴とする請求項１ないし５のいずれか一記載の情報処理装置。
【請求項７】
画像データを生成する画像入力装置と、記憶媒体に各種データを記録する情報記録装置とに対してデータ接続可能な情報処理装置のコンピュータに読み取られ、
前記画像入力装置から送信された画像データを受信する画像データ受信機能と、
この画像データ受信機能により受信した前記画像データを特定する特定情報及び前記記憶媒体を識別する識別情報の入力を受け付ける情報受け付け機能と、
この情報受け付け機能により受け付けた特定情報及び識別情報を、前記画像データ受信機能により受信した前記画像データに付加する情報付加機能と、
この情報付加機能により特定情報及び識別情報が付加された前記画像データを、前記情報記録装置を介して前記記憶媒体に書き込む画像データ書込機能と、
前記情報受け付け機能により受け付けた前記画像データを特定する特定情報及び当該画像データが書き込まれた前記記憶媒体を識別する識別情報を記憶部に記憶する情報管理機能と、
を前記コンピュータに実行させることを特徴とするプログラム。
【請求項８】
前記画像データ書込機能は、受信した前記画像データが前記記憶媒体の記憶可能容量に達した時点で、前記画像データの書込みを開始する、ことを特徴とする請求項７記載のプログラム。
【請求項９】
キーワードの入力を受け付けるキーワード受け付け機能と、
前記情報管理機能により前記記憶部に記憶した前記画像データを特定する特定情報から、前記キーワード受け付け機能により受け付けたキーワードに適合する特定情報を検索する情報検索機能と、
この情報検索機能による検索結果を、前記記憶媒体を識別する識別情報とともに報知する検索結果報知機能と、
を前記コンピュータに実行させることを特徴とする請求項７または８記載のプログラム。
【請求項１０】
請求項７ないし９のいずれか一記載のプログラムを記憶することを特徴とする記憶媒体。
【請求項１１】
画像データを生成する画像入力装置と、記憶媒体に各種データを記録する情報記録装置とに対してデータ接続可能な情報処理装置における画像データ検索方法において、
前記画像入力装置から送信された画像データを受信する画像データ受信工程と、
この画像データ受信工程により受信した前記画像データを特定する特定情報及び前記記憶媒体を識別する識別情報の入力を受け付ける情報受け付け工程と、
この情報受け付け工程により受け付けた特定情報及び識別情報を、前記画像データ受信工程により受信した前記画像データに付加する情報付加工程と、
この情報付加工程により特定情報及び識別情報が付加された前記画像データを、前記情報記録装置を介して前記記憶媒体に書き込む画像データ書込工程と、
前記情報受け付け工程により受け付けた前記画像データを特定する特定情報及び当該画像データが書き込まれた前記記憶媒体を識別する識別情報を記憶部に記憶する情報管理工程と、
を具備することを特徴とする画像データ検索方法。
【請求項１２】
キーワードの入力を受け付けるキーワード受け付け工程と、
前記情報管理工程により前記記憶部に記憶した前記画像データを特定する特定情報から、前記キーワード受け付け工程により受け付けたキーワードに適合する特定情報を検索する情報検索工程と、
この情報検索工程による検索結果を、前記記憶媒体を識別する識別情報とともに報知する検索結果報知工程と、
を具備することを特徴とする請求項１１記載の画像データ検索方法。
【発明の詳細な説明】
【０００１】
【発明の属する技術分野】
本発明は、情報処理装置、プログラム、記憶媒体及び画像データ検索方法に関する。
【０００２】
【従来の技術】
デジタルカメラでは、撮像素子によって得られた画像データを内蔵のフラッシュメモリやメモリカード等の記憶媒体に記憶している。近年においては記憶媒体の大容量化が進んでおり、１枚の記憶媒体に１００枚〜１０００枚もの画像データを記憶することが可能になっている。このように撮影されて記憶媒体に記憶された画像データは、一般的には、その後にコンピュータのメモリに取り込まれ、編集表示されることが多い。
【０００３】
ところが、上述したようにデジタルカメラで撮影された画像データは、撮影された順にメモリに記録されるだけであるため、撮影後の画像の整理には莫大な時間と手間が必要になるという問題が生じている。
【０００４】
そこで、このような問題を解決すべく、特許文献１においては、デジタルカメラで撮影した画像データの記録領域を予め指定し、内容を整理し撮影後の整理を不要としたデジタルカメラおよび画像データ格納方法が提案されている。
【０００５】
【特許文献１】
特開２００１−７８１４４公報
【０００６】
【発明が解決しようとする課題】
ところが、特許文献１に記載されたデジタルカメラおよび画像データ格納方法によれば、デジタルカメラ本体で整理する情報を付加するため、撮影を行う前に整理情報を付加することを考慮すると煩雑である。
【０００７】
本発明の目的は、記録した画像データの検索の容易化を図ることができる情報処理装置、プログラム、記憶媒体及び画像データ検索方法を提供することである。
【０００８】
【課題を解決するための手段】
請求項１記載の発明の情報処理装置は、画像データを生成する画像入力装置と、記憶媒体に各種データを記録する情報記録装置とに対してデータ接続可能な情報処理装置において、前記画像入力装置から送信された画像データを受信する画像データ受信手段と、この画像データ受信手段により受信した前記画像データを特定する特定情報及び前記記憶媒体を識別する識別情報の入力を受け付ける情報受け付け手段と、この情報受け付け手段により受け付けた特定情報及び識別情報を、前記画像データ受信手段により受信した前記画像データに付加する情報付加手段と、この情報付加手段により特定情報及び識別情報が付加された前記画像データを、前記情報記録装置を介して前記記憶媒体に書き込む画像データ書込手段と、前記情報受け付け手段により受け付けた前記画像データを特定する特定情報及び当該画像データが書き込まれた前記記憶媒体を識別する識別情報を記憶部に記憶する情報管理手段と、を備える。
【０００９】
したがって、画像入力装置から送信された画像データに対し、当該画像データを特定する特定情報及び当該画像データが書き込まれる記憶媒体を識別する識別情報が付加されるとともに、特定情報及び識別情報が記憶部に記憶される。これにより、所望の画像データについての特定情報が解れば、この特定情報に適合する記憶部に記憶された特定情報に対応している識別情報により所望の画像データが書き込まれている記憶媒体を特定することが可能になる。ここで、記憶部に記憶された特定情報は電子的に検索されるものであっても良いし、記憶部に記憶された特定情報及び識別情報を印刷や表示等によって視覚的に認識可能として視認することにより検索されるものであっても良い。
【００１０】
請求項２記載の発明は、請求項１記載の情報処理装置において、前記画像データを特定する特定情報は、当該画像データの撮影に関する撮影情報である。
【００１１】
したがって、撮影日時、撮影場所、撮影対象（人物名、物等）等の撮影に関する撮影情報を画像データを特定する特定情報にすることにより、画像データの特定を直感的に行うことが可能になる。
【００１２】
請求項３記載の発明は、請求項１または２記載の情報処理装置において、前記画像データを特定する特定情報には、前記画像データの縮小画像を含む。
【００１３】
したがって、適合する画像データの縮小画像をディスプレイにサムネイル表示することが可能になる。
【００１４】
請求項４記載の発明は、請求項１記載の情報処理装置において、前記記憶媒体を識別する識別情報は、当該記憶媒体に付される名称である。
【００１５】
したがって、識別情報により所望の画像データが書き込まれている記憶媒体を特定することが容易になる。
【００１６】
請求項５記載の発明は、請求項１ないし４のいずれか一記載の情報処理装置において、前記画像データ書込手段は、受信した前記画像データが前記記憶媒体の記憶可能容量に達した時点で、前記画像データの書込みを開始する。
【００１７】
したがって、特定情報及び識別情報が付加された画像データが記憶媒体の記憶可能容量に応じて書き込まれることにより、記憶媒体の数を最小限に抑えることが可能になるので、記憶媒体の特定が容易になる。
【００１８】
請求項６記載の発明は、請求項１ないし５のいずれか一記載の情報処理装置において、キーワードの入力を受け付けるキーワード受け付け手段と、前記情報管理手段により前記記憶部に記憶した前記画像データを特定する特定情報から、前記キーワード受け付け手段により受け付けたキーワードに適合する特定情報を検索する情報検索手段と、この情報検索手段による検索結果を、前記記憶媒体を識別する識別情報とともに報知する検索結果報知手段と、を備える。
【００１９】
したがって、入力されたキーワードに適合する記憶部に記憶された特定情報が検索され、検索された特定情報とともに当該特定情報に対応している識別情報が報知される。これにより、所望の画像データが書き込まれている記憶媒体を容易に特定することが可能になる。
【００２０】
請求項７記載の発明のプログラムは、画像データを生成する画像入力装置と、記憶媒体に各種データを記録する情報記録装置とに対してデータ接続可能な情報処理装置のコンピュータに読み取られ、前記画像入力装置から送信された画像データを受信する画像データ受信機能と、この画像データ受信機能により受信した前記画像データを特定する特定情報及び前記記憶媒体を識別する識別情報の入力を受け付ける情報受け付け機能と、この情報受け付け機能により受け付けた特定情報及び識別情報を、前記画像データ受信機能により受信した前記画像データに付加する情報付加機能と、この情報付加機能により特定情報及び識別情報が付加された前記画像データを、前記情報記録装置を介して前記記憶媒体に書き込む画像データ書込機能と、前記情報受け付け機能により受け付けた前記画像データを特定する特定情報及び当該画像データが書き込まれた前記記憶媒体を識別する識別情報を記憶部に記憶する情報管理機能と、を前記コンピュータに実行させる。
【００２１】
したがって、画像入力装置から送信された画像データに対し、当該画像データを特定する特定情報及び当該画像データが書き込まれる記憶媒体を識別する識別情報が付加されるとともに、特定情報及び識別情報が記憶部に記憶される。これにより、所望の画像データについての特定情報が解れば、この特定情報に適合する記憶部に記憶された特定情報に対応している識別情報により所望の画像データが書き込まれている記憶媒体を特定することが可能になる。ここで、記憶部に記憶された特定情報は電子的に検索されるものであっても良いし、記憶部に記憶された特定情報及び識別情報を印刷や表示等によって視覚的に認識可能として視認することにより検索されるものであっても良い。
【００２２】
請求項８記載の発明は、請求項７記載のプログラムにおいて、前記画像データ書込機能は、受信した前記画像データが前記記憶媒体の記憶可能容量に達した時点で、前記画像データの書込みを開始する。
【００２３】
したがって、特定情報及び識別情報が付加された画像データが記憶媒体の記憶可能容量に応じて書き込まれることにより、記憶媒体の数を最小限に抑えることが可能になるので、記憶媒体の特定が容易になる。
【００２４】
請求項９記載の発明は、請求項７または８記載のプログラムにおいて、キーワードの入力を受け付けるキーワード受け付け機能と、前記情報管理機能により前記記憶部に記憶した前記画像データを特定する特定情報から、前記キーワード受け付け機能により受け付けたキーワードに適合する特定情報を検索する情報検索機能と、この情報検索機能による検索結果を、前記記憶媒体を識別する識別情報とともに報知する検索結果報知機能と、を前記コンピュータに実行させる。
【００２５】
したがって、入力されたキーワードに適合する記憶部に記憶された特定情報が検索され、検索された特定情報とともに当該特定情報に対応している識別情報が報知される。これにより、所望の画像データが書き込まれている記憶媒体を容易に特定することが可能になる。
【００２６】
請求項１０記載の発明の記憶媒体は、請求項７ないし９のいずれか一記載のプログラムを記憶する。
【００２７】
したがって、この記憶媒体に記憶されたプログラムをコンピュータに読み取らせることにより、請求項７ないし９のいずれか一記載の発明と同様の作用を奏する。
【００２８】
請求項１１記載の発明の画像データ検索方法は、画像データを生成する画像入力装置と、記憶媒体に各種データを記録する情報記録装置とに対してデータ接続可能な情報処理装置における画像データ検索方法において、前記画像入力装置から送信された画像データを受信する画像データ受信工程と、この画像データ受信工程により受信した前記画像データを特定する特定情報及び前記記憶媒体を識別する識別情報の入力を受け付ける情報受け付け工程と、この情報受け付け工程により受け付けた特定情報及び識別情報を、前記画像データ受信工程により受信した前記画像データに付加する情報付加工程と、この情報付加工程により特定情報及び識別情報が付加された前記画像データを、前記情報記録装置を介して前記記憶媒体に書き込む画像データ書込工程と、前記情報受け付け工程により受け付けた前記画像データを特定する特定情報及び当該画像データが書き込まれた前記記憶媒体を識別する識別情報を記憶部に記憶する情報管理工程と、キーワードの入力を受け付けるキーワード受け付け工程と、前記情報管理工程により前記記憶部に記憶した前記画像データを特定する特定情報から、前記キーワード受け付け工程により受け付けたキーワードに適合する特定情報を検索する情報検索工程と、この情報検索工程による検索結果を、前記記憶媒体を識別する識別情報とともに報知する検索結果報知工程と、を具備する。
【００２９】
したがって、画像入力装置から送信された画像データに対し、当該画像データを特定する特定情報及び当該画像データが書き込まれる記憶媒体を識別する識別情報が付加されるとともに、特定情報及び識別情報が記憶部に記憶される。これにより、所望の画像データについての特定情報が解れば、この特定情報に適合する記憶部に記憶された特定情報に対応している識別情報により所望の画像データが書き込まれている記憶媒体を特定することが可能になる。ここで、記憶部に記憶された特定情報は電子的に検索されるものであっても良いし、記憶部に記憶された特定情報及び識別情報を印刷や表示等によって視覚的に認識可能として視認することにより検索されるものであっても良い。
【００３０】
請求項１２記載の発明は、請求項１１記載の画像データ検索方法において、キーワードの入力を受け付けるキーワード受け付け工程と、前記情報管理工程により前記記憶部に記憶した前記画像データを特定する特定情報から、前記キーワード受け付け工程により受け付けたキーワードに適合する特定情報を検索する情報検索工程と、この情報検索工程による検索結果を、前記記憶媒体を識別する識別情報とともに報知する検索結果報知工程と、を具備する。
【００３１】
したがって、入力されたキーワードに適合する記憶部に記憶された特定情報が検索され、検索された特定情報とともに当該特定情報に対応している識別情報が報知される。これにより、所望の画像データが書き込まれている記憶媒体を容易に特定することが可能になる。
【００３２】
【発明の実施の形態】
本発明の実施の一形態を図１ないし図８に基づいて説明する。
【００３３】
［１．本実施の形態のシステム構成の説明］
図１は、本実施の形態のシステムを示す概略構成図である。図１に示すように、本実施の形態のシステムは、ＵＳＢ（Ｕｎｉｖｅｒｓａｌ  Ｓｅｒｉａｌ  Ｂｕｓ）等の通信ケーブルＣを介し、情報処理装置であるパーソナル・コンピュータ（以下、単にコンピュータと呼ぶ）Ａと、画像入力装置であるデジタルカメラＢとが接続されている。
【００３４】
［１−１．コンピュータＡの説明］
まず、情報処理装置であるコンピュータＡについて説明する。図２に、コンピュータＡのハードウェアの構成図を示す。コンピュータＡは、情報処理を行うＣＰＵ（Ｃｅｎｔｒａｌ  Ｐｒｏｃｅｓｓｉｎｇ  Ｕｎｉｔ）２と、ＢＩＯＳ（Ｂａｓｉｃ  Ｉｎｐｕｔ  Ｏｕｔｐｕｔ  Ｓｙｓｔｅｍ）等を格納するＲＯＭ（Ｒｅａｄ  Ｏｎｌｙ  Ｍｅｍｏｒｙ）３と、情報を処理中に一時的に格納するＲＡＭ（Ｒａｎｄｏｍ  Ａｃｃｅｓｓ  Ｍｅｍｏｒｙ）４等の記憶部と、処理結果等を保存するＨＤＤ（Ｈａｒｄ  Ｄｉｓｋ  Ｄｒｉｖｅ）５等の記憶部と、情報を外部に保管又は配布し若しくは情報を外部から入手するための記憶媒体であるリムーバブルメディアＭに対して各種データを記録可能な情報記録装置であるドライブ６と、デジタルカメラＢと通信するための通信ケーブルＣに接続するための通信インタフェース８と、処理経過や処理結果等をユーザに表示するディスプレイ９と、操作者がコンピュータＡに命令や情報等を入力するためのキーボード１０やマウス１１等の入力装置とから構成され、これらの間のデータ通信をバスコントローラ７が調停して動作している。なお、通信インタフェース８は、デジタルカメラＢとの通信のみに用いるものではなく、図示しないプリンタ等との通信にも利用可能である。また、通信インタフェース８の接続形態は、通信ケーブルＣ（例えばＵＳＢケーブル）等の通信線を用いたケーブル接続だけでなく、赤外線などを利用したワイヤレス接続であっても良い。
【００３５】
なお、リムーバブルメディアＭとしては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００３６】
データ送信は、コンピュータＡの通信インタフェース８へとデータを送ることにより、通信インタフェース８が通信ケーブルＣへと信号を出力する。また、通信インタフェース８が受け取った信号については、通信インタフェース８において必要かどうかの判断がなされ、必要なデータであれば取り込み、不必要であれば破棄する、というような処理が行われる。すなわち、あらゆるデータの送受信は、すべて通信インタフェース８を経由して行われることになる。
【００３７】
一般的に、このようなコンピュータＡではユーザが電源を投入すると、ＣＰＵ２はＲＯＭ３内のＢＩＯＳに含まれるローダーというプログラムを起動させ、ＨＤＤ５からオペレーティング・システムという当該コンピュータＡのハードウェアとソフトウェアとを管理するプログラムをＲＡＭ４に読み込む。オペレーティング・システムは起動すると、ユーザの操作に応じてアプリケーション・プログラムの起動、情報の読み込み、保存等をサポートする。代表的なオペレーティング・システムはＷｉｎｄｏｗｓ（Ｍｉｃｒｏｓｏｆｔ  Ｃｏｒｐｏｒａｔｉｏｎの登録商標）等である。これらのオペレーティング・システム上で走るプログラムが、通常アプリケーション・プログラムと呼ばれている。
【００３８】
ここで、リムーバブルメディアＭのドライブ６について詳細に説明する。図３は、ドライブ６の機能ブロック図である。このドライブ６は、リムーバブルメディアＭに対して光学的に情報記録を実行する。図３において、Ｍは光ディスク（ここでは、ＣＤ−ＲＯＭ、ＣＤ−Ｒ、ＣＤ−ＲＷ等）、１０２はスピンドルモータ、１０３は光ピックアップ、１０４はモータドライバ、１０５はリードアンプ、１０６はサーボ手段、１０７はＣＤデコーダ、１０８はＡＴＩＰデコーダ、１０９はレーザコントローラ、１１０はＣＤエンコーダ、１１１はＣＤ−ＲＯＭエンコーダ、１１２はバッファＲＡＭ、１１３はバッファマネージャ、１１４はＣＤ−ＲＯＭデコーダ、１１５はＡＴＡＰＩ／ＳＣＳＩインタフェース、１１６はＤ／Ａコンバータ、１１７はＲＯＭ、１１８はＣＰＵ、１１９はＲＡＭを示し、ＬＢはレーザ光、Ａｕｄｉｏはオーディオ出力信号を示す。
【００３９】
また、図３において、矢印はデータが主に流れる方向を示しており、また、簡略化のために、図３中の各ブロックを制御するＣＰＵ１１８には、太線のみを付けて各ブロックとの接続を省略して示している。
【００４０】
各ブロックとの接続を省略して示されているＣＰＵ１１８、ＲＯＭ１１７及びＲＡＭ１１９は、各ブロックを制御するマイクロコンピュータである。このようなマイクロコンピュータを構成するＲＯＭ１１７には、ＣＰＵ１１８にて解読可能なコードで記述された制御プログラムや各種媒体に対する制御パラメータ等、長期に渡り記憶しておかなければならないデータが格納されている。なお、ドライブ６の電源がオン状態になると、前記制御プログラムは不図示のメインメモリにロードされ、ＣＰＵ１１８はそのプログラムに従って上記各部の動作を制御するとともに、制御に必要なデータ等を一時的にＲＡＭ１１９に保存する。別の実施の形態として、バッテリバックアップ又は不揮発性のＲＡＭ１１９を用いれば、このようなＲＡＭ１１９に制御プログラムを格納しても良い。
【００４１】
このようなドライブ６において、光ディスクＭは、スピンドルモータ１０２によって回転駆動される。このスピンドルモータ１０２は、モータドライバ１０４とサーボ手段１０６とにより、線速度または角速度が一定になるように制御される。この線速度又は角速度は、階段的に変更することが可能である。
【００４２】
光ピックアップ１０３は、図示しない半導体レーザ、光学系、フォーカスアクチュエータ、トラックアクチュエータ、受光素子及びポジションセンサを内蔵しており、レーザ光ＬＢを光ディスクＭに照射する。また、この光ピックアップ１０３は、シークモータによってスレッジ方向への移動が可能である。これらのフォーカスアクチュエータ、トラックアクチュエータ、シークモータは、受光素子とポジションセンサから得られる信号に基づいて、モータドライバ１０４とサーボ手段１０６とにより、レーザ光ＬＢのスポットが光ディスクＭ上の目的の場所に位置するように制御される。
【００４３】
そして、リード時には、光ピックアップ１０３によって得られた再生信号が、リードアンプ１０５で増幅されて２値化された後、ＣＤデコーダ１０７に入力される。入力された２値化データは、このＣＤデコーダ１０７において、ＥＦＭ（Ｅｉｇｈｔ  ｔｏ  Ｆｏｕｒｔｅｅｎ  Ｍｏｄｕｌａｔｉｏｎ）復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４４】
復調されたデータには、デインターリーブとエラー訂正の処理とが行われる。その後、このデータは、ＣＤ−ＲＯＭデコーダ１１４へ入力され、データの信頼性を高めるために、さらに、エラー訂正の処理が行われる。このように２回のエラー訂正の処理が行われたデータは、バッファマネージャ１１３によって一旦バッファＲＡＭ１１２に蓄えられ、セクタデータとして揃った状態で、ＡＴＡＰＩ／ＳＣＳＩインタフェース１１５を介して、コンピュータＡへ一気に転送される。なお、音楽データの場合には、ＣＤデコーダ１０７から出力されたデータがＤ／Ａコンバータ１１６へ入力され、アナログのオーディオ出力信号Ａｕｄｉｏとして取り出される。
【００４５】
また、ライト時には、ＡＴＡＰＩ／ＳＣＳＩインタフェース１１５を介してコンピュータＡから送られてきたデータは、バッファマネージャ１１３によって一旦バッファＲＡＭ１１２に蓄えられる。そして、バッファＲＡＭ１１２内にある程度の量のデータが蓄積された状態で、ライト動作が開始されるが、この場合には、その前にレーザスポットを書き込み開始地点に位置させる必要がある。この地点は、トラックの蛇行により予め光ディスクＭ上に刻まれているウォブル信号によって求められる。
【００４６】
ウォブル信号には、ＡＴＩＰと呼ばれる絶対時間情報が含まれており、この情報が、ＡＴＩＰデコーダ１０８によって取り出される。また、このＡＴＩＰデコーダ１０８によって生成される同期信号は、ＣＤエンコーダ１１０へ入力され、光ディスクＭ上の正確な位置へのデータの書き込みを可能にしている。バッファＲＡＭ１１２のデータに対しては、ＣＤ−ＲＯＭエンコーダ１１１やＣＤエンコーダ１１０においてエラー訂正コードの付加やインターリーブが行われ、その後、そのようなデータに基づいてレーザコントローラ１０９が光ピックアップ１０３を駆動制御し、光ディスクＭに対する情報記録がなされる。
【００４７】
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００４８】
なお、別の実施の形態としては、ランドプリピットやプリピットからアドレス情報を得る構成であっても良い。
【００４９】
［１−２．デジタルカメラＢの説明］
次に、画像入力装置であるデジタルカメラＢについて説明する。図４は、デジタルカメラＢのハードウェア構成を概略的に示すブロック図、図５はその外観構成を示す概略斜視図である。
【００５０】
デジタルカメラＢは、概略的には、図４に示すように、信号処理部１２と、メモリ制御部１３と、主制御部１４と、フレームメモリ１５と、インタフェース１６と、表示部１７と、外部記憶部１８と、撮影モード設定部１９と、撮像部２０と、を備える。そして、撮像部２０はレンズ２１と、絞り２２と、シャッタ２３と、光電変換素子２４と、前処理部２５とを含む。
【００５１】
ここで、信号処理部１２は、前処理部２５とメモリ制御部１３、主制御部１４及びインタフェース１６に接続されている。また、メモリ制御部１３はさらにフレームメモリ１５に接続されている。主制御部１４はさらに、メモリ制御部１３と撮影モード設定部１９に接続されている。また、フレームメモリ１５は、メモリ制御部１３に接続されている。インタフェース１６はさらに表示部１７及び外部記憶部１８に接続されている。
【００５２】
一方、撮像部２０においては、レンズ２１と絞り２２、シャッタ２３、光電変換素子２４が光軸上でこの順に配置され、光電変換素子２４は前処理部２５に接続されている。
【００５３】
また、撮像部２０の光電変換素子２４には例えばＣＣＤ（Ｃｈａｒｇｅ  Ｃｏｕｐｌｅｄ  Ｄｅｖｉｃｅ）が使用されている。また、前処理部２５にはプリアンプや自動利得制御回路（Ａｕｔｏ  Ｇａｉｎ  Ｃｏｎｔｒｏｌ−ＡＧＣ）等からなるアナログ信号処理部やアナログ−デジタル変換器（Ａ／Ｄ変換器）が備えられ、光電変換素子２４より出力されたアナログ映像信号に対して、増幅やクランプ等の前処理が施された後、上記アナログ映像信号がデジタル映像信号に変換される。
【００５４】
また、信号処理部１２はデジタル信号処理プロセッサ（ＤＳＰプロセッサ）等により構成され、画像圧縮機能を有するとともに、撮像部２０において得られたデジタル映像信号に対して色分解、ホワイトバランス調整、γ補正など種々の画像処理を施す。また、メモリ制御部１３はこのようにして処理された画像信号をフレームメモリ１５へ格納したり、逆にフレームメモリ１５に格納された画像信号を読出したりする処理を行う。また、主制御部１４は当該デジタルカメラＢの各部を集中的に制御するＣＰＵ、このＣＰＵが使用する各種制御プログラムなどを記憶したＲＯＭ、ワークエリアとなるＲＡＭを有するマイクロコンピュータ構成のものである。なお、ＲＯＭに格納されている制御プログラムに代えて、図５に示すように当該制御プログラムを格納した記憶媒体２６をデジタルカメラＢに装着し、デジタルカメラＢのＣＰＵに当該制御プログラムを実行させるようにしてもよい。また、フレームメモリ１５は少なくとも２枚の画像を格納し、一般的にはＶＲＡＭ，ＳＲＡＭ，ＤＲＡＭ等の半導体メモリが使用される。
【００５５】
ここで、フレームメモリ１５から読出された画像信号は、信号処理部１２において画像圧縮等の信号処理が施された後、インタフェース１６を介して外部記憶部１８に保存される。この外部記憶部１８はインタフェース１６を介して供給される画像信号などの種々の信号を読み書きし、ＩＣメモリカードや光磁気ディスク等により構成される。ここで外部記憶部１８として、モデムカードやＩＳＤＮカードが使用されれば、ネットワークを経由して画像信号を直接遠隔地の記録媒体に送信することもできる。
【００５６】
また、逆に外部記憶部１８に記録された画像信号の読出しは、インタフェース１６を介して信号処理部１２へ画像信号が送信され、信号処理部１２において画像伸長が施されることによって行われる。一方、外部記憶部１８及びフレームメモリ１５から読出された画像信号の表示は、信号処理部１２において画像信号に対してデジタル−アナログ変換（Ｄ／Ａ変換）や増幅などの信号処理を施した後、インタフェース１６を介して表示部１７に送信することにより行われる。ここで、表示部１７は、インタフェース１６を介して供給された画像信号に応じて画像を表示し、例えばデジタルカメラＢの筐体に設置された液晶表示装置により構成される。
【００５７】
また、デジタルカメラＢは、外観的には、図５に示すように、電源スイッチ３１、シャッタ３２、ファインダ３３、撮影モード設定部１９に撮影モードを設定するための撮影モード設定キー３４、表示部１７に表示された画像を上下方向にスクロールさせるためのスクロールキー３５，３６、決定キー３７等を備えている。
【００５８】
ここで、デジタルカメラＢの信号処理部１２において実行される処理について説明する。信号処理部１２において実行される処理としては、撮像された画像データ中に付与する付加情報を生成する付加情報生成処理がある。この付加情報生成処理が生成する付加情報の内容は任意であるが、カメラメーカー、カメラ機種、撮影日時等が付加情報となり得る。
【００５９】
［２．コンピュータＡが備える特長的な機能の説明］
次に、コンピュータＡが備える特長的な機能について説明する。
【００６０】
［２−１．キーワード付加処理］
コンピュータＡは、内蔵するＣＰＵ２がＯＳ上で動作するアプリケーションプログラムに従うことにより、デジタルカメラＢで撮影した画像データに対してキーワードを付加するキーワード付加処理を実行する。図６は、ＣＰＵ２がＯＳ上で動作するアプリケーションプログラムに従うことにより実現されるキーワード付加処理の流れを示すフローチャートである。
【００６１】
図６に示すように、コンピュータＡのＣＰＵ２は、通信インタフェース８を経由してデジタルカメラＢから送信された画像データを受信すると（ステップＳ１のＹ：画像データ受信手段）、受信した画像データを記憶部であるＨＤＤ５に格納する（ステップＳ２）。この際、コンピュータＡのＣＰＵ２は、ＨＤＤ５に格納された画像データのデータ量を監視する（ステップＳ３）。ここでは、ＨＤＤ５に格納された画像データのデータ量が、所定の容量（例えば、光ディスクＭ（ここでは、ＣＤ−Ｒ、ＣＤ−ＲＷ等）１枚分の容量の約６５０ＭＢ）に達したか否かを監視する。なお、光ディスクＭがＤＶＤならば、約４．７ＧＢもしくは約９．４ＧＢに達したか否かを監視することになる。
【００６２】
ＨＤＤ５に格納された画像データのデータ量が所定の容量（約６５０ＭＢ）に達したと判断した場合には（ステップＳ３のＹ）、ディスプレイ９にその旨（例えば、「光ディスク１枚分のデータが蓄積されました。」等）を表示し（ステップＳ４）、ドライブ６内の光ディスクＭ（ここでは、ＣＤ−Ｒ、ＣＤ−ＲＷ等）へのデータ移動を促すとともに、移動される画像データに付加されるキーワードの入力を要求する（ステップＳ５：情報受け付け手段）。
【００６３】
ここで、ステップＳ５におけるキーワードの入力について説明する。入力されるキーワードとしては、撮影日時、撮影場所、撮影対象（人物名、物等）等の撮影に関する撮影情報、当該光ディスクＭのディスク名称（例えば、００１，００２，・・・等）等が挙げられる。なお、撮影日時については、前述したようにデジタルカメラＢにおける付加情報生成処理により付加情報として撮像された画像データに対応付けられているので、これを用いるようにすれば良い。また、撮影場所、撮影対象（人物名、物等）等については、操作者がキーボード１０やマウス１１等の入力装置から入力することになる。なお、特開２００１−７８１４４公報に示されているようなデジタルカメラを用いることにより撮影時にデジタルカメラ側でキーワードが付加してある場合には、そのキーワードを用いるようにしても良い。
【００６４】
すなわち、撮影日時、撮影場所、撮影対象（人物名、物等）等の撮影に関する撮影情報が画像データを特定する特定情報であり、光ディスクＭのディスク名称が記憶媒体を識別する識別情報である。
【００６５】
このようにして移動される画像データに付加されるキーワードの入力が終了すると（ステップＳ６のＹ）、入力されたキーワードを各画像データ毎もしくは全ての画像データを含むデータファイルに付加して（ステップＳ７：情報付加手段）、キーワードが付加された画像データをドライブ６に送信する（ステップＳ８：画像データ書込手段）。これにより、ドライブ６内の光ディスクＭ（ここでは、ＣＤ−Ｒ、ＣＤ−ＲＷ等）には、キーワードが付加された画像データが記録されることになる。
【００６６】
加えて、コンピュータＡのＣＰＵ２は、ステップＳ５において入力されたキーワードをディスク管理情報テーブルとして作成し、記憶部であるＲＡＭ４やＨＤＤ５に記憶する（ステップＳ９：情報管理手段）。なお、ディスク管理情報テーブルに対して画像データの縮小画像をキーワードとともに記憶するようにしても良い。図７は、ディスク管理情報テーブルＴの一例を模式的に示す説明図である。図７に示すように、ディスク管理情報テーブルＴにおいては、画像データの縮小画像がキーワード（撮影日時、撮影場所、光ディスクＭのディスク名称）とともに記憶されている。
【００６７】
一方、ＨＤＤ５に格納された画像データのデータ量が所定の容量（約６５０ＭＢ）に達したと判断されない場合であっても（ステップＳ３のＮ）、デジタルカメラＢから送信された全ての画像データを受信したと判断した場合には（ステップＳ１０のＹ）、ステップＳ４〜Ｓ９の処理を実行する。
【００６８】
［２−２．画像探索処理］
コンピュータＡは、内蔵するＣＰＵ２がＯＳ上で動作するアプリケーションプログラムに従うことにより、デジタルカメラＢで撮影した画像データに対して前述したキーワード付加処理により付加されたキーワードに基づく画像探索処理を実行する。図８は、ＣＰＵ２がＯＳ上で動作するアプリケーションプログラムに従うことにより実現される画像探索処理の流れを示すフローチャートである。
【００６９】
図８に示すように、コンピュータＡのＣＰＵ２は、操作者からのキーワードの入力に待機し（ステップＳ１１：キーワード受け付け手段）、キーワードとして
撮影日時：２００２年８月頃
撮影場所：鎌倉
というような事項を操作者がキーボード１０やマウス１１等の入力装置から入力したことを検出すると（ステップＳ１１のＹ）、入力されたキーワードに基づいてキーワード付加処理において作成したディスク管理情報テーブルＴを公知の検索手段により検索し（ステップＳ１２：情報検索手段）、適合する画像データの番号（写真番号）、ディスク名称等をディスプレイ９に一覧表示する（ステップＳ１３：検索結果報知手段）。なお、ディスク管理情報テーブルＴに画像データの縮小画像をキーワードとともに格納するようにすることにより、適合する画像データの縮小画像をディスプレイ９にサムネイル表示することも可能である。
【００７０】
このように適合する画像データが一覧表示された状態で、所望の画像が格納されている光ディスクＭのディスク名称を取得することが可能になる。
【００７１】
つまり、操作者は、所望の画像が格納されているディスク名称の光ディスクＭをドライブ６に装填することで、所望の画像をディスプレイ９に表示することができる。その後、必要に応じて印刷処理や画像修正処理等の各種処理を実行する。
【００７２】
なお、ディスク管理情報テーブルＴをプリンタを用いて印刷処理した後に本のようにまとめておくことで、そこからパラパラとめくりながら所望の画像を探し出すことも可能である。
【００７３】
また、ディスク管理情報テーブルＴをプリンタを用いて印刷処理した後に、光ディスクＭ用の透明なジュエルケース内にいれたりシールで貼り付けたりすることで、ケースを見れば格納されている光ディスクＭ内の画像データの内容がわかるようにすることも可能である。
【００７４】
さらに、ディスク管理情報テーブルＴをプリンタを用いて光ディスクＭの表面（記録面とは反対側の面）に印刷するようにしても良い。消去可能なサーモクロミズム、感熱、フォトクロミズム等を光ディスクＭの表面にコーティングすることにより、収録内容を変更しつつ繰り返し使用することも可能である（ＣＤ−ＲＷ等）。
【００７５】
ここに、画像入力装置であるデジタルカメラＢから送信された画像データに対し、当該画像データを特定する特定情報（撮影日時、撮影場所、撮影対象（人物名、物等）等の撮影に関する撮影情報）及び当該画像データが書き込まれる記憶媒体であるリムーバブルメディアＭを識別する識別情報（ディスク名称）を付加するとともに、特定情報及び識別情報を記憶部であるＲＡＭ４やＨＤＤ５に記憶する。また、入力されたキーワードに適合する記憶部であるＲＡＭ４やＨＤＤ５に記憶された特定情報を検索し、検索された特定情報とともに当該特定情報に対応している識別情報を報知（ディスプレイ９に一覧表示）する。これにより、所望の画像データが書き込まれている記憶媒体であるリムーバブルメディアＭを容易に特定することができるので、記録した画像データの検索の容易化を図ることができる。
【００７６】
【発明の効果】
請求項１、７、１１記載の発明によれば、画像入力装置から送信された画像データに対し、当該画像データを特定する特定情報及び当該画像データが書き込まれる記憶媒体を識別する識別情報を付加するとともに、特定情報及び識別情報を記憶部に記憶することにより、所望の画像データについての特定情報が解れば、この特定情報に適合する記憶部に記憶された特定情報に対応している識別情報により所望の画像データが書き込まれている記憶媒体を特定することができるので、記録した画像データの検索の容易化を図ることができる。ここで、記憶部に記憶された特定情報は電子的に検索されるものであっても良いし、記憶部に記憶された特定情報及び識別情報を印刷や表示等によって視覚的に認識可能として視認することにより検索されるものであっても良い。
【００７７】
請求項２記載の発明によれば、撮影日時、撮影場所、撮影対象（人物名、物等）等の撮影に関する撮影情報を画像データを特定する特定情報にすることにより、画像データの特定を直感的に行うことができる。
【００７８】
請求項３記載の発明によれば、前記画像データを特定する特定情報には、前記画像データの縮小画像を含むことにより、適合する画像データの縮小画像をディスプレイにサムネイル表示することができる。
【００７９】
請求項４記載の発明によれば、前記記憶媒体を識別する識別情報は、当該記憶媒体に付される名称であることにより、識別情報により所望の画像データが書き込まれている記憶媒体を特定することが容易になる。
【００８０】
請求項５、８記載の発明によれば、特定情報及び識別情報が付加された画像データが記憶媒体の記憶可能容量に応じて書き込まれることにより、記憶媒体の数を最小限に抑えることができるので、記憶媒体の特定が容易になる。
【００８１】
請求項６、９，１２記載の発明によれば、入力されたキーワードに適合する記憶部に記憶された特定情報を検索し、検索された特定情報とともに当該特定情報に対応している識別情報を報知することにより、所望の画像データが書き込まれている記憶媒体を容易に特定することで、記録した画像データの検索の容易化を図ることができる。
【００８２】
請求項１０記載の発明の記憶媒体によれば、請求項７ないし９のいずれか一記載のプログラムを記憶することにより、この記憶媒体に記憶されたプログラムをコンピュータに読み取らせることで、請求項７ないし９のいずれか一記載の発明と同様の作用効果を奏することができる。
【図面の簡単な説明】
【図１】本発明の実施の一形態のシステムを示す概略構成図である。
【図２】コンピュータのハードウェアの構成図である。
【図３】ドライブの機能ブロック図である。
【図４】デジタルカメラのハードウェア構成を概略的に示すブロック図である。
【図５】その外観構成を示す概略斜視図である。
【図６】キーワード付加処理の流れを示すフローチャートである。
【図７】ディスク管理情報テーブルの一例を模式的に示す説明図である。
【図８】画像探索処理の流れを示すフローチャートである。
【符号の説明】
４，５    記憶部
６        情報記録装置
Ａ        情報処理装置
Ｂ        画像入力装置
Ｍ        記憶媒体
【図１】
2005045421.tif 000003
【図２】
2005045421.tif 000004
【図３】
2005045421.tif 000005
【図４】
2005045421.tif 000006
【図５】
2005045421.tif 000007
【図６】
2005045421.tif 000008
【図７】
2005045421.tif 000009
【図８】
2005045421.tif 000010